(57)【要約】      （修正有）【課題】屋外において、簡単かつ安価に太陽光発電による電気を得ることのできる屋外構築物を提供する。【解決手段】構築物１は、太陽電池モジュール２と、各辺に略あり状のガイド溝３ａが長手方向に形成された断面方形の連結フレーム３と、交差する連結フレーム３の交差部に配設可能な連結材４１、連結フレーム３のガイド溝３ａに沿って移動自在に嵌挿されたナット４２及び該ナット４２にねじ止め可能なボルト４３からなる連結部材４とから構成される。そして、太陽電池モジュール２の枠材２３，２４に連結フレーム３がボルト４３、ナット４２を介して固定され、また、連結フレーム３の各端部に鉛直方向に延びる連結フレーム３が連結部材４を介して立設される。【選択図】図２
0003186278.tif 000002
【実用新案登録請求の範囲】
【請求項１】
方形状の太陽電池パネル及びその周囲に配設された枠材からなる１枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ止め可能な複数本のボルトからなる連結部材と、から構成され、
太陽電池モジュールの少なくとも枠材の一辺に連結フレームがボルトナットを介して固定され、また、連結フレームに鉛直方向に延びる１本または複数本の連結フレームが連結部材を介して立設されることを特徴とする屋外構築物。
【請求項２】
方形状の太陽電池パネル及びその周囲に配設された枠材からなり、横方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、
横方向に配列される複数枚の太陽電池モジュールにおける枠材の前辺及び後辺にわたって横方向に延びる前後の連結フレームがボルトナットを介して固定され、また、前後一方の連結フレーム、または、前後の連結フレームに鉛直方向に延びる１本または複数本の連結フレームが連結部材を介して立設されることを特徴とする屋外構築物。
【請求項３】
方形状の太陽電池パネル及びその周囲に配設された枠材からなり、縦方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、
縦方向に配列される複数枚の太陽電池モジュールにおける枠材の左辺及び右辺にわたって縦方向に延びる左右の連結フレームがボルトナットを介して固定され、また、左右一方の連結フレーム、または、左右の連結フレームに鉛直方向に延びる１本または複数本の連結フレームが連結部材を介して立設されることを特徴とする屋外構築物。
【請求項４】
方形状の太陽電池パネル及びその周囲に配設された枠材からなり、縦方向及び横方向にそれぞれ複数枚ずつ配列された太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在な複数個のナット及び該ナットにねじ止め可能な複数本のボルトからなる連結部材と、から構成され、
横方向に配列された各行の複数枚の太陽電池モジュールにおける枠材の前辺及び後辺にわたって横方向に延びる前後の連結フレームがボルトナットを介してそれぞれ固定されるとともに、複数対の前後の連結フレームの左右各端部に縦方向に延びる左右の連結フレームが連結部材を介して固定され、また、最前方の連結フレーム、または、最後方の連結フレーム、もしくは、最前方の連結フレーム及び最後方の連結フレーム、もしくは、左右一方の連結フレーム、または、左右の連結フレームに鉛直方向に延びる１本または複数本の連結フレームが連結部材を介して立設されることを特徴とする屋外構築物。
【請求項５】
方形状の太陽電池パネル及びその周囲に配設された枠材からなり、縦方向及び横方向にそれぞれ複数枚ずつ配列された太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在な複数個のナット及び該ナットにねじ止め可能な複数本のボルトからなる連結部材と、から構成され、
縦方向に配列された各列の複数枚の太陽電池モジュールにおける枠材の左辺及び右辺にわたって縦方向に延びる左右の連結フレームがボルトナットを介してそれぞれ固定されるとともに、複数対の左右の連結フレームの前後各端部に横方向に延びる前後の連結フレームが連結部材を介して固定され、また、最左方の連結フレーム、または、最右方の連結フレーム、もしくは、最左方の連結フレーム及び最右方の連結フレーム、もしくは、前後一方の連結フレーム、または、前後の連結フレームに鉛直方向に延びる１本または複数本の連結フレームが連結部材を介して立設されることを特徴とする屋外構築物。
【請求項６】
方形状の太陽電池パネル及びその周囲に配設された枠材からなり、横方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、
横方向に配列される複数枚の太陽電池モジュールにおける枠材の前辺及び後辺にわたって横方向に延びる前後の連結フレームがボルトナットを介して固定されるとともに、前後の連結フレームの左右各端部に縦方向に延びる連結フレームが連結部材を介して固定され、また、前後の連結フレームの左右各端部にそれぞれ鉛直方向に延びる連結フレームが連結部材を介して立設されるとともに、隣接する一対の支柱の下端部にそれぞれ連結フレームが連結部材を介して固定され、少なくとも隣接する一対の支柱間に扉が開閉自在に設けられるとともに、残りの隣接する支柱間に壁パネルが設けられることを特徴とする屋外構築物。
【請求項７】
方形状の太陽電池パネル及びその周囲に配設された枠材からなり、縦方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、
縦方向に配列される複数枚の太陽電池モジュールにおける枠材の左辺及び右辺にわたって縦方向に延びる左右の連結フレームがボルトナットを介して固定されるとともに、左右の連結フレームの前後各端部に横方向に延びる連結フレームが連結部材を介して固定され、また、左右の連結フレームの前後各端部にそれぞれ鉛直方向に延びる連結フレームが連結部材を介して立設されるとともに、隣接する一対の支柱の下端部にそれぞれ連結フレームが連結部材を介して固定され、少なくとも隣接する一対の支柱間に扉が開閉自在に設けられるとともに、残りの隣接する支柱間に壁パネルが設けられることを特徴とする屋外構築物。
【考案の詳細な説明】
【技術分野】
【０００１】
この考案は、パーゴラ等の屋外構築物に関するものである。
【背景技術】
【０００２】
近年、再生可能エネルギーとして太陽光発電が広く利用されるようになっており、家屋の屋根を始めとして様々な場所に太陽電池モジュールが設置されている。例えば、屋外において、電線を敷設することなく電気を供給できることから、カーポート等の照明等に利用することが提案されている（例えば、特許文献１，２参照）。
【先行技術文献】
【特許文献】
【０００３】
【特許文献１】特開平１１−３０３４３９号公報
【特許文献２】特開２００１−５５７８２号公報
【考案の概要】
【考案が解決しようとする課題】
【０００４】
このような太陽電池モジュールは、構築物を梁や柱等の構成要素を組み合わせて構成するとともに、その屋根に設置されている。つまり、建物の施工業者が専用の梁や柱等を用いて構築物を建築し、その屋根材の一部に太陽電池モジュールを設置する構成が採用されている。このため、部品点数が増加するとともに、コストがかさむという欠点があった。      
【０００５】
本考案は、このような問題点に鑑みてなされたもので、屋外において、簡単かつ安価に太陽光発電による電気を得ることのできる屋外構築物を提供するものである。
【課題を解決するための手段】
【０００６】
本考案は、方形状の太陽電池パネル及びその周囲に配設された枠材からなる１枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ止め可能な複数本のボルトからなる連結部材と、から構成され、太陽電池モジュールの少なくとも枠材の一辺に連結フレームがボルトナットを介して固定され、また、連結フレームに鉛直方向に延びる１本または複数本の連結フレームが連結部材を介して立設されることを特徴とする。
【０００７】
本考案によれば、屋外において、１枚の太陽電池モジュールを簡単かつ安価な構造の構築物に支持して太陽光発電による電気を得ることが可能となり、バッテリー駆動の各種機器に対する充電ステーションとして利用したり、照明設備を付設して防犯灯等に利用することができる。
【０００８】
本考案は、方形状の太陽電池パネル及びその周囲に配設された枠材からなり、横方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、横方向に配列される複数枚の太陽電池モジュールにおける枠材の前辺及び後辺にわたって横方向に延びる前後の連結フレームがボルトナットを介して固定され、また、前後一方の連結フレーム、または、前後の連結フレームに鉛直方向に延びる１本または複数本の連結フレームが連結部材を介して立設されることを特徴とする。
【０００９】
本考案によれば、屋外において、横方向に配列された複数枚の太陽電池モジュールを簡単かつ安価な構造の構築物に支持して太陽光発電による電気を得ることが可能となり、バッテリー駆動の各種機器に対する充電ステーションとして利用したり、照明設備を付設して防犯灯等に利用することができる。
【００１０】
本考案は、方形状の太陽電池パネル及びその周囲に配設された枠材からなり、縦方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、縦方向に配列される複数枚の太陽電池モジュールにおける枠材の左辺及び右辺にわたって縦方向に延びる左右の連結フレームがボルトナットを介して固定され、また、左右一方の連結フレーム、または、左右の連結フレームに鉛直方向に延びる１本または複数本の連結フレームが連結部材を介して立設されることを特徴とする。
【００１１】
本考案によれば、屋外において、縦方向に配列された複数枚の太陽電池モジュールを簡単かつ安価な構造の構築物に支持して太陽光発電による電気を得ることが可能となり、バッテリー駆動の各種機器に対する充電ステーションとして利用したり、照明設備を付設して防犯灯等に利用することができる。
【００１２】
本考案は、方形状の太陽電池パネル及びその周囲に配設された枠材からなり、縦方向及び横方向にそれぞれ複数枚ずつ配列された太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在な複数個のナット及び該ナットにねじ止め可能な複数本のボルトからなる連結部材と、から構成され、横方向に配列された各行の複数枚の太陽電池モジュールにおける枠材の前辺及び後辺にわたって横方向に延びる前後の連結フレームがボルトナットを介してそれぞれ固定されるとともに、複数対の前後の連結フレームの左右各端部に縦方向に延びる左右の連結フレームが連結部材を介して固定され、また、最前方の連結フレーム、または、最後方の連結フレーム、もしくは、最前方の連結フレーム及び最後方の連結フレーム、もしくは、左右一方の連結フレーム、または、左右の連結フレームに鉛直方向に延びる１本または複数本の連結フレームが連結部材を介して立設されることを特徴とする。
【００１３】
本考案によれば、屋外において、縦方向及び横方向にそれぞれ複数枚ずつ配列された太陽電池モジュールを簡単かつ安価な構造の構築物に支持して太陽光発電による電気を得ることが可能となり、バッテリー駆動の各種機器に対する充電ステーションとして利用したり、照明設備を付設して防犯灯等に利用することができる。
【００１４】
本考案は、方形状の太陽電池パネル及びその周囲に配設された枠材からなり、縦方向及び横方向にそれぞれ複数枚ずつ配列された太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在な複数個のナット及び該ナットにねじ止め可能な複数本のボルトからなる連結部材と、から構成され、縦方向に配列された各列の複数枚の太陽電池モジュールにおける枠材の左辺及び右辺にわたって縦方向に延びる左右の連結フレームがボルトナットを介してそれぞれ固定されるとともに、複数対の左右の連結フレームの前後各端部に横方向に延びる前後の連結フレームが連結部材を介して固定され、また、最左方の連結フレーム、または、最右方の連結フレーム、もしくは、最左方の連結フレーム及び最右方の連結フレーム、もしくは、前後一方の連結フレーム、または、前後の連結フレームに鉛直方向に延びる１本または複数本の連結フレームが連結部材を介して立設されることを特徴とする。
【００１５】
本考案によれば、屋外において、縦方向及び横方向にそれぞれ複数枚ずつ配列された太陽電池モジュールを簡単かつ安価な構造の構築物に支持して太陽光発電による電気を得ることが可能となり、バッテリー駆動の各種機器に対する充電ステーションとして利用したり、照明設備を付設して防犯灯等に利用することができる。
【００１６】
本考案は、方形状の太陽電池パネル及びその周囲に配設された枠材からなり、横方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、横方向に配列される複数枚の太陽電池モジュールにおける枠材の前辺及び後辺にわたって横方向に延びる前後の連結フレームがボルトナットを介して固定されるとともに、前後の連結フレームの左右各端部に縦方向に延びる連結フレームが連結部材を介して固定され、また、前後の連結フレームの左右各端部にそれぞれ鉛直方向に延びる連結フレームが連結部材を介して立設されるとともに、隣接する一対の支柱の下端部にそれぞれ連結フレームが連結部材を介して固定され、少なくとも隣接する一対の支柱間に扉が開閉自在に設けられるとともに、残りの隣接する支柱間に壁パネルが設けられることを特徴とする。
【００１７】
本考案によれば、屋外において、横方向に配列された複数枚の太陽電池モジュールを簡単かつ安価な構造の構築物に支持して太陽光発電による電気を得ることが可能となり、物置や防災倉庫等に利用することができる。
【００１８】
本考案は、方形状の太陽電池パネル及びその周囲に配設された枠材からなり、縦方向に配列された複数枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット及び該ナットにねじ結合可能な複数本のボルトからなる連結部材と、から構成され、縦方向に配列される複数枚の太陽電池モジュールにおける枠材の左辺及び右辺にわたって縦方向に延びる左右の連結フレームがボルトナットを介して固定されるとともに、左右の連結フレームの前後各端部に横方向に延びる連結フレームが連結部材を介して固定され、また、左右の連結フレームの前後各端部にそれぞれ鉛直方向に延びる連結フレームが連結部材を介して立設されるとともに、隣接する一対の支柱の下端部にそれぞれ連結フレームが連結部材を介して固定され、少なくとも隣接する一対の支柱間に扉が開閉自在に設けられるとともに、残りの隣接する支柱間に壁パネルが設けられることを特徴とする。
【００１９】
本考案によれば、屋外において、縦方向に配列された複数枚の太陽電池モジュールを簡単かつ安価な構造の構築物に支持して太陽光発電による電気を得ることが可能となり、物置や防災倉庫等に利用することができる。
【考案の効果】
【００２０】
本考案によれば、屋外において、簡単かつ安価に太陽光発電による電気を得ることができる。
【図面の簡単な説明】
【００２１】
【図１】本考案の屋外構築物の一実施形態であるソーラーパーゴラの一例を示す斜視図である。
【図２】図１のソーラーパーゴラのＡ−Ａ線断面図である。
【図３】連結フレームと連結部材との関係を示す分解斜視図である。
【図４】ソーラーパーゴラの変形例を分解して示す概略斜視図である。
【図５】図４のソーラーパーゴラの正面図である。
【図６】図４のソーラーパーゴラにおける太陽電池モジュール、支持枠、支柱の関係を一部省略して示す斜視図である。
【図７】太陽電池モジュールの支持枠を連結部材を介して傾斜状態に固定する態様を図６に対応して示す斜視図である。
【図８】ソーラーパーゴラの他の変形例を分解して示す概略斜視図である。
【図９】ソーラーパーゴラのもう一つの変形例を分解して示す概略斜視図である。
【図１０】本考案の屋外構築物の他の実施形態であるソーラーボックスの一例を示す斜視図である。
【考案を実施するための形態】
【００２２】
以下、本考案の実施の形態を図面に基づいて説明する。
【００２３】
図１及び図２には、本考案の屋外構築物１の一実施形態が示されている。
【００２４】
この屋外構築物１は、ソーラーパーゴラ１Ａであって、１枚の太陽電池モジュール２と、複数本の連結フレーム３と、交差する連結フレーム３，３を連結する連結部材４とから構成されている。
【００２５】
太陽電池モジュール２は、矩形状に形成された太陽電池パネル２１及び該太陽電池パネル２１の周縁に装着された枠材２２、具体的には、横長に配置した太陽電池パネル２１の対向する一組の長辺に装着された第１枠材２３、太陽電池パネル２１の対向する一組の短辺に装着され、第１枠材２３と互いに連結された第２枠材２４とから構成された従来公知の製品であり、第１枠材２３及び第２枠材２４には、屋根材等に固定できるように、複数個の取付穴が形成された副底壁２３１，２４１（図２参照）が延設されている。
【００２６】
なお、太陽電池パネル２１の裏面には、電気を取り出すための端子ボックス及びケーブル（図示せず）が設けられている。
【００２７】
連結フレーム３は、設定寸法に切断して使用されるアルミの引抜き成形品であって、断面方形状に形成され、その各辺には、略あり状のガイド溝３ａが長手方向に沿って形成されている（図３参照）。
【００２８】
なお、連結フレーム３としては、各辺にそれぞれ１条のガイド溝が形成された断面正方形状の連結フレームの他、詳細には図示しないが、対向する一対の辺にそれぞれ１条のガイド溝が形成されるとともに、他の対向する一対の辺にそれぞれ２条のガイド溝が形成された断面長方形状の連結フレーム等が用意されており、使用部位に合わせて適宜選択されて使用される。
【００２９】
連結部材４は、図３に示すように、Ｌ字状に形成された連結材４１と、連結フレーム３のガイド溝３ａに対応して断面略台形状に形成され、雌ねじが形成されたナット４２と、該ナット４２の雌ねじにねじ結合可能な雄ねじが形成されたボルト（六角穴付き）４３とからなり、連結材４１の各端部には、ボルト４３を挿通可能な取付穴４１ａが形成されている。
【００３０】
ここで、ナット４２は、上方より見て、ガイド溝３ａの開口幅に略相当する横寸法と、ガイド溝３ａの幅に略相当する縦寸法とを有する平行四辺形に形成されている。また、ナット４２の上面には、ガイド溝３ａの開口幅に相当する間隔の段差部が形成されている。これにより、ナット４２にボルト４３をねじ結合し、ナット４２を開口を通してガイド溝３ａに挿入して長手方向に沿って任意の位置に移動させた後、ボルト４３をねじ込むと、ナット４２の長い側の対角線の頂点がガイド溝３ａの内面に接触して回転が阻止されるとともに、前述した段差部がガイド溝３ａの開口と平行に対向するように設定されている。すなわち、連結材４１の取付穴４１ａにボルト４３を挿通するとともに、ボルト４３にナット４２をねじ結合し、ナット４２を連結フレーム３のガイド溝３ａの開口に沿わせてその内部に挿入した後、任意の位置に移動させてボルト４３を締結方向に回転させることにより、ガイド溝３ａからの抜け出しを防止する位置で回転を阻止してナット４２にねじ結合できることから、連結フレーム３に連結材４１を固定することができる。この際、ナット４２の段差部がガイド溝３ａの開口に嵌まり込み、確実に回転が阻止されて位置決めされる。
【００３１】
なお、連結材としては、後述するように、板状の連結材４４（図７参照）も用意されており、同一垂直面上に面一に配置された一対の連結フレーム３，３において、一の連結フレーム３に対して他の連結フレーム３を設定角度傾斜した状態に配置し、連結材４４、ボルト４３及びナット４２からなる連結部材４を利用して固定することもできる。
【００３２】
次に、これらの太陽電池モジュール２、連結フレーム３及び連結部材４を用いて屋外構築物１であるソーラーパーゴラ１Ａを組み立てる場合を説明する。
【００３３】
まず、連結フレーム３を、太陽電池モジュール２の対向する第２枠材２４，２４の内面間隔に略相当する長さに切断して１本の支持フレーム１１を用意するとともに、連結フレーム３を設定長さに切断して２本の支柱１２を用意する。また、連結材４１の取付穴４１ａにボルト４３を挿通し、ボルト４３にナット４２をねじ結合しておく。さらに、太陽電池モジュール２の枠材２３の副底壁２３１に形成された取付穴にボルト４３を挿通し、ボルト４３にナット４２をねじ結合しておく。
【００３４】
次いで、支持フレーム１１を太陽電池モジュール２における一方の第１枠材２３の副底壁２３１に沿って配置し、そのガイド溝３ａ内にナット４２を挿入した後、ボルト４３をねじ込み、ボルト４３及びナット４２を介して太陽電池モジュール２の第１枠材２３に支持フレーム１１を固定する。
【００３５】
この後、支持フレーム１１の長手方向各端部において、支柱１２の上端を支持フレーム１１の下面に突き当てるとともに、それらの交差部に連結材４１をあてがい、ナット４２をそれらのガイド溝３ａ，３ａに開口を通して挿入した後、ボルト４３をねじ込む。これにより、支持フレーム１１と支柱１２とを連結材４１、ボルト４３及びナット４２を介して固定することができる。すなわち、支持フレーム１１及び支柱１２を連結部材４を介して互いに直交状態に固定することができる。
【００３６】
このようにしてソーラーパーゴラ１Ａを組み立てたならば、予め設置場所に埋設された基礎ブロックＫに支柱１２の下端部を差し込み、コンクリートを注入して固化させることにより、構築することができる。
【００３７】
このようにして構築された屋外構築物１であるソーラーパーゴラ１Ａは、昼間において太陽電池モジュール２が太陽光発電を行なうことから、発電された電気をその場で消費したり、図示しないバッテリーに貯えて非常用電源として利用したり、別途照明設備を付設して夜間の照明に利用することができる。すなわち、電力会社との契約を要することなく、かつ、架線工事を行なうことなく発電した電気を利用することができ、コストを削減することができる。
【００３８】
具体的には、各家庭の庭や公園、キャンプ場、オープンカフェ、イベント会場や道の駅、アミューズメントパーク等の集客施設に設置することにより、スマートフォン等の電子機器、電動自転車や電動車椅子等のバッテリの充電ステーションとして利用したり、照明設備を付設して防犯灯や庭園灯等に利用することができる。また、後述するように、複数枚の太陽電池モジュールを配列することにより、より大きな受光面積を確保してカーポートやバス停留所等に利用することもできる。
【００３９】
また、屋外構築物１であるソーラーパーゴラ１Ａを、太陽電池モジュール２、連結フレーム３及び連結部材４から形成できることから、構成部品を共通化して部品点数を削減することができるとともに、格別な技術を要することなく誰でも簡単かつ短時間に組み立てることができ、構築物そのもののコストも削減することができる。
【００４０】
なお、前述した実施形態においては、支持フレーム１１の長手方向各端部に支柱１２を立設する場合を例示したが、支持フレーム１１の長手方向略中間部に１本の支柱を立設して支持してもよい他、太陽電池モジュール２の枠材２２に対応して支持フレーム１１を方形に枠組みし、その四隅に支柱１２を立設したり、枠組みされた支持フレーム１１の、対向する一対の支持フレームの略中間部にそれぞれ支柱１２を立設することもできる。
【００４１】
図４乃至図６には、ソーラーパーゴラ１Ａの変形例が示されている。
【００４２】
このソーラーパーゴラ１Ａは、太陽電池モジュール２を縦長に向けて横方向に複数枚（実施例においては３枚）配列した太陽電池モジュール群に対応して、連結フレーム３を切断して得られた４本の支持フレームを連結部材４を介して互いに固定することで支持枠１０を形成し、支持枠１０の四隅にそれぞれ支柱１２を連結部材４を介して立設して構成される。
【００４３】
ここで、太陽電池モジュール２、連結フレーム３、連結材４１、ナット４２、ボルト４３からなる連結部材４は、前述した実施形態に使用されたものと同一であり、同一の部材には同一の符号を付して、その詳細な説明を省略する。
【００４４】
支持枠１０は、縦長に向けた太陽電池モジュール２の前辺及び後辺となる対向する第２枠材２４（副底壁２４１）をそれぞれ固定できるように、太陽電池モジュール群の長辺の長さに略相当する長さに連結フレーム３を切断して長辺側支持フレーム１３を２本用意するととともに、太陽電池モジュール２の対向する一対の第２枠材２４，２４間の間隔に略相当する長さに連結フレーム３を切断して短辺側支持フレーム１４を２本用意し、長辺側支持フレーム１３，１３の左右各端部に短辺側支持フレーム１４，１４をそれぞれ配置し、それらの交差部を連結部材４を介して互いに固定することにより、形成される。そして、支持枠１０の四隅となる各長辺側支持フレーム１３の左右各端部には、それぞれ支柱１２が連結部材４を介して互いに固定されており、支柱１２は、それぞれ基礎ブロックＫに固定されている。
【００４５】
なお、左右の支柱１２は、それらの上端部間にわたって連結フレーム３を設定長さに切断して用意された接続フレーム１５が連結部材４を介して固定されて門形に形成されている。
【００４６】
この実施形態においても、支柱１２を支持枠１０の一方の長辺側支持フレーム１３の左右各端部にのみ立設してもよく、また、前後の長辺側支持フレーム１３の中間部にそれぞれ立設してもよい。また、支柱１２を支持枠１０の左右の短辺側支持フレーム１４の前後各端部、一方の短辺側支持フレーム１４の前後各端部、あるいは、左右の短辺側支持フレーム１４の中間部に立設することもできる。この場合も、対応する支柱１２，１２間に接続フレーム１５を架設して門形に形成することが好ましい。
【００４７】
なお、前述した実施形態においては、太陽電池モジュール２を水平に配置した場合を例示したが、受光エネルギーを増大させるためには、太陽電池モジュール２を傾斜状態に配置することが好ましい。具体的には、図７に示すように、太陽電池モジュール２あるいは太陽電池モジュール群を固定する支持枠１０を支柱１２に対して傾斜状態に配置し、支柱１２と支持枠１０の支持フレーム１４（１３）にわたって板状の連結材４４を配置し、それらの支柱１２及び支持フレーム１４（１３）をボルト４３及びナット４２を介して互いに固定すればよい。
【００４８】
図８には、ソーラーパーゴラ１Ａの他の変形例が示されている。
【００４９】
このソーラーパーゴラは、太陽電池モジュール２を縦長に向けて縦方向に複数枚（実施例においては２枚）配列した太陽電池モジュール群に対応して、連結フレーム３を切断して得られた４本の支持フレームを連結部材４を介して互いに固定することで支持枠１０を形成し、支持枠１０の四隅にそれぞれ支柱１２を連結部材４を介して立設して構成されている。
【００５０】
この支持枠１０は、縦長に向けた太陽電池モジュール２の左辺及び右辺となる対向する第１枠材２３をそれぞれ固定できるように、太陽電池モジュール群の長辺の長さに略相当する長さに連結フレーム３を切断して長辺側支持フレーム１３を２本用意するととともに、太陽電池モジュール２の対向する一対の第１枠材２３，２３間の間隔に略相当する長さに連結フレーム３を切断して短辺側支持フレーム１４を２本用意し、長辺側支持フレーム１３，１３の前後各端部間に短辺側支持フレーム１４，１４をそれぞれ配置し、それらの交差部を連結部材４を介して互いに固定することにより、形成される。そして、支持枠１０の四隅となる各長辺側支持フレーム１３の前後各端部には、それぞれ支柱１２が連結部材４を介して互いに固定されており、支柱１２は、それぞれ基礎ブロックＫに固定されている。
【００５１】
なお、左右の支柱１２は、それらの上端部間にわたって連結フレーム３を設定長さに切断して用意された接続フレーム１５が連結部材４を介して固定されて門形に形成されている。
【００５２】
この実施形態においても、支柱１２を支持枠１０の一方の長辺側支持フレーム１３の前後各端部にのみ立設してもよく、また、左右の長辺側支持フレーム１３の中間部にそれぞれ立設してもよい。また、支柱１２を支持枠１０の前後の短辺側支持フレーム１４の左右各端部、一方の短辺側支持フレーム１４の左右各端部、あるいは、前後の短辺側支持フレーム１４の中間部に立設することもできる。この場合も、対応する支柱１２，１２間に接続フレーム１５を架設して門形に形成することが好ましい。
【００５３】
なお、詳細には図示しないが、太陽電池モジュール２を横長に向けて縦方向に複数枚配列した太陽電池モジュール群に対応して形成される支持枠は、前述した図４の支持枠１０と同一であり、この支持枠１０を９０度回転させ、長辺側支持フレーム１３を縦方向に向けて設置すればよい。
【００５４】
また、太陽電池モジュール２を横長に向けて横方向に複数枚配列した太陽電池モジュール群に対応して形成される支持枠は、前述した図８の支持枠１０と同一であり、この支持枠１０を９０度回転させ、長辺側支持フレーム１３を横方向に向けて設置すればよい。
【００５５】
図９には、ソーラーパーゴラ１Ａのもう一つ変形例が示されている。
【００５６】
このソーラーパーゴラ１Ａは、太陽電池モジュール２を縦長に向けて縦方向及び横方向にそれぞれ複数枚（実施例においては縦方向に２枚、横方向に３枚）配列し、縦方向に配列された複数列の太陽電池モジュール群に対応して、連結フレーム３を切断して得られた支持フレームを連結部材４を介して支持枠１０を形成し、支持枠１０の四隅にそれぞれ支柱１２を連結部材４を介して立設して構成されている。
【００５７】
具体的には、各太陽電池モジュール２の左辺及び右辺である対向する第１枠材２３をそれぞれ固定できるように、各列の太陽電池モジュール群の長辺の長さに略相当する長さに連結フレーム３を切断して長辺側支持フレーム１３を複数対用意するととともに、複数列の太陽電池モジュール群における対向する最左方及び最右方の一対の第１枠材２３，２３間の間隔に略相当する長さに連結フレーム３を切断して短辺側支持フレーム１４を２本用意する。次いで、６本の長辺側支持フレーム１３を各列の太陽電池モジュール群の左右の第１枠材２３，２３に対応して縦方向に配置するとともに、それらの長辺側支持フレーム１３の前後各端部に短辺側支持フレーム１４，１４をそれぞれ配置し、それらの各交差部を連結部材４を介してそれぞれ互いに固定することにより、縦長に向けた太陽電池モジュール２を縦方向に複数枚配列した、複数列の太陽電池モジュール群に対応した支持枠１０が形成される。そして、支持枠１０の四隅となる各短辺側支持フレーム１４の左右各端部には、それぞれ支柱１２が連結部材４を介して互いに固定されており、支柱１２は、それぞれ基礎ブロックＫに固定されている。
【００５８】
なお、左右の支柱１２は、それらの上端部間にわたって連結フレーム３を設定長さに切断して用意された接続フレーム１５が連結部材４を介して固定されて門形に形成されている。
【００５９】
この実施形態においても、支柱１２を支持枠１０の一方の短辺側支持フレーム１４の左右各端部にのみ立設してもよく、また、前後の短辺側支持フレーム１４の中間部にそれぞれ立設してもよい。また、支柱１２を支持枠１０の最外側の長辺側支持フレーム１３の前後各端部、最外側の一方の短辺側支持フレーム１４の前後各端部、あるいは、最外側の左右の短辺側支持フレーム１４の中間部に立設することもできる。この場合も、対応する支柱１２，１２間に接続フレーム１５を架設して門形に形成することが好ましい。
【００６０】
なお、詳細には図示しないが、太陽電池モジュール２を横長に向けて縦方向及び横方向にそれぞれ複数枚配列し、横方向に配列された複数行の太陽電池モジュール群に対応して、連結フレーム３を切断して得られた支持フレームを連結部材４を介して支持枠１０を形成し、支持枠１０の四隅にそれぞれ支柱１２を連結部材４を介して立設してソーラーパーゴラを構成できることは言うまでもない。
【００６１】
また、前述した実施形態において、照明設備としてテープ状のＬＥＤ（ＬＥＤテープ（図示せず））を支持フレーム１１，１３，１４や支柱１２、接続フレーム１５のガイド溝３ａに配設することができ、夜間の照明に利用することができる。
【００６２】
さらに、支柱１２の下端に設置プレートを固定し、基礎に対してアンカーボルトで固定することもできる。
【００６３】
ところで、図１０には、本考案の屋外構築物１の他の実施形態が示されている。
【００６４】
この屋外構築物１は、ソーラーボックス１Ｂであって、複数枚の太陽電池モジュール２と、複数本の連結フレーム３と、連結フレーム３，３同士を連結する連結部材４とから構成されている。
【００６５】
この実施形態のソーラーボックス１Ｂは、図４乃至図６に示したソーラーパーゴラ１Ａと主要部は同一であり、相違する点について主に説明する。
【００６６】
このソーラーボックス１Ｂは、太陽電池モジュール２を縦長に向けて横方向に複数枚（実施例においては３枚）配列し、横方向に配列された複数枚の太陽電池モジュールに対応して、連結フレーム３を切断して得られた４本の支持フレームを連結部材４を介して互いに固定することで支持枠１０を形成する一方、支持枠１０の四隅にそれぞれ支柱１２を連結部材４を介して立設するとともに、隣接する一対の支柱１２，１２の下端部間にそれぞれ接続フレーム１６を連結部材４を介して固定し、さらに、支持枠１０、隣接する一対の支柱１２，１２及び接続フレーム１６によって区画される周囲４面のうちの１面に扉１７を支柱１２に設けたヒンジを利用して開閉自在に設けるとともに、残りの３面に壁パネル１８を設けて形成されている。
【００６７】
このようなソーラーボックス１Ｂは、物置として利用できる他、緊急時に備えて食料や飲料水を保管するとともに、通常太陽電池モジュールによって発電してバッテリーに蓄電しておき、緊急時の電源として使用する防災倉庫等に活用することができる。また、レストランやカフェ、スーパー、さらには、一般家庭等の電源のない屋外において、水耕栽培ファーム、野菜工場として活用し、照明や、水の循環ポンプ等の動力源に利用することもできる。
【００６８】
なお、詳細には図示しないが、太陽電池モジュール２を縦横方向に適切な枚数配列して種々の受光面積を有するソーラーボックス１Ｂを構築できることは、ソーラーパーゴラ１Ａと同様である。
【符号の説明】
【００６９】
１  屋外構築物
１Ａ  ソーラーパーゴラ
１Ｂ  ソーラーボックス
２  太陽電池モジュール
２１  太陽電池パネル
２２  枠材
２３  第１枠材
２４  第２枠材
３  連結フレーム
３ａ  ガイド溝
４  連結部材
４１，４４  連結材
４２  ナット
４３  ボルト
１０  支持枠
１１，１３，１４  支持フレーム
１２  支柱
１５，１６  接続フレーム
１７  扉
１８  壁パネル
【図１】
0003186278.tif 000003
【図２】
0003186278.tif 000004
【図３】
0003186278.tif 000005
【図４】
0003186278.tif 000006
【図５】
0003186278.tif 000007
【図６】
0003186278.tif 000008
【図７】
0003186278.tif 000009
【図８】
0003186278.tif 000010
【図９】
0003186278.tif 000011
【図１０】
0003186278.tif 000012